(57)【要約】【課題】比較的大きな愛玩動物や跳躍力の高い愛玩動物に対しても効果的に侵入を阻止でき、人の通行が容易な自立型の愛玩動物侵入規制用柵の提供を目的とする。【解決手段】正面パネルと、当該正面パネルの両側に側面パネルとを備えた愛玩動物侵入規制用柵であって、柵の高さは人が跨ぐには困難な高さに設定してあり、側面パネルは正面パネルと交差方向に延出しており、自立可能に構成してあるとともに使用状態において人が通行時に開閉できる扉を有していることを特徴とする。【選択図】  図１
2008118934.tif 000002
【特許請求の範囲】
【請求項１】
正面パネルと、当該正面パネルの両側に側面パネルとを備えた愛玩動物侵入規制用柵であって、
柵の高さは人が跨ぐには困難な高さに設定してあり、
側面パネルは正面パネルと交差方向に延出しており、
自立可能に構成してあるとともに使用状態において人が通行時に開閉できる扉を有していることを特徴とする愛玩動物侵入規制用柵。
【請求項２】
使用状態において、側面パネルが、人が通行時に開閉できる扉として正面パネルに対して回動可能に連結されていることを特徴とする請求項１記載の愛玩動物侵入規制用柵。
【請求項３】
側面パネルは正面パネルに対して回動する際に、設置面から上方にわずかに浮かせることが可能になっていることを特徴とする請求項２記載の愛玩動物侵入規制用柵。
【請求項４】
正面パネルは、幅方向に伸縮可能に構成してあることを特徴とする請求項１〜３のいずれかに記載の愛玩動物侵入規制用柵。
【請求項５】
正面パネルと側面パネルとは、分解及び組立可能に連結してあることを特徴とする請求項１〜４のいずれかに記載の愛玩動物侵入規制用柵。
【請求項６】
正面パネル又は／及び側面パネルは、枠部と当該枠部内に設置した線材とからなり、上下方向に対して中央部側２／５以上の部分は、縦方向の線材のみを設置してあることを特徴とする請求項１〜５のいずれかに記載の愛玩動物侵入規制用柵。
【請求項７】
複数のパネルの重なり部で伸縮可能な正面パネルと
当該正面パネルの両端下部で正面パネルの面に対して略直角に前後方向に延びる四本の支持部材を有しており、
正面パネルの前後方向に延びる少なくとも一方の支持部材の上方には、人が通行できる幅の扉が垂直軸回りに開閉可能に設けられており、
当該扉には、正面パネルの面に対して略直角となる位置でその回動を規制するロック装置が設けられており、
部屋や通路等の開口部を遮断するように設置したときにロック装置を操作することにより、扉を開放して正面パネルの側方から出入りすることができることを特徴とする愛玩動物侵入規制用柵。
【請求項８】
前記扉とその下方に位置する支持部材とが一体に設けられていることを特徴とする請求項７記載の愛玩動物侵入規制用柵。
【請求項９】
前記扉とその下方に位置する支持部材と当該支持部材の背面側に伸びる支持部材とが一体に設けられていることを特徴とする請求項７記載の愛玩動物侵入規制用柵。
【請求項１０】
扉が分離可能な蝶番によって着脱可能に設けられていることを特徴とする請求項７〜９のいずれかに記載の愛玩動物侵入規制用柵。
【請求項１１】
扉を垂直回りに開閉可能に設けている蝶番が扉の折り畳む側に設けられ、ロック装置が扉の折り畳む側と反対側に取り付けられていることを特徴とする請求項７〜１０のいずれかに記載の愛玩動物侵入規制用柵。
【請求項１２】
複数のパネルの重なり部で伸縮可能な正面パネルと当該正面パネルの両端下部で正面パネルの面に対して略直角に前後方向に延びる四本の脚部材を有しており、
正面パネルの前後方向に延びる少なくとも一方の支持部材の上方には、人が通行できる幅の扉が蝶番によって垂直軸回りに開閉可能に設けられており、
当該蝶番が扉を正面パネルの面に対して略直角となる位置でロックする機能を兼備しており、
部屋や通路等の開口部を遮断するように設置したときにロック装置を操作することにより、扉を開放して正面パネルの側方から出入りすることができることを特徴とする愛玩動物侵入規制用柵。
【発明の詳細な説明】
【技術分野】
【０００１】
本発明は、愛玩動物が特定の場所に侵入するのを防止する、自立型の愛玩動物侵入規制用柵に関する。
【背景技術】
【０００２】
動物を飼育する場合等において、キッチンや玄関などの特定の場所に動物が侵入するのを阻止したい場合がある。
その場合に、柱や壁などの間に柵やゲートを取り付けるものが公知であるが、柱や壁がないところでは使用できず、また一旦取り付けると取外しの操作が煩雑であった。
そこで、本願出願人は先に人が跨げる高さに設定した自立型の柵を提案している（特許文献１）。
柵の高さを人が跨げる高さに設定したことで、人の通行が可能でありながら愛玩動物の侵入を阻止できる点で優れているものの、比較的大きな愛玩動物や跳躍力の高い愛玩動物を対象とする場合にはこの動物が柵を越える恐れがあった。
また、たとえ柵の高さが低くとも老人や子供にとって柵を跨ぐ動作は難しく、スカートをはいた女性にとっても抵抗があった。
そこで、本願発明者らは自立型の柵であって、愛玩動物の侵入を効果的に阻止しつつ、人の通行が容易な構造を精意検討した結果本発明に至った。
【０００３】
【特許文献１】特開２００６−４２７９２号公報
【発明の開示】
【発明が解決しようとする課題】
【０００４】
本発明は上記背景技術に鑑みて、比較的大きな愛玩動物や跳躍力の高い愛玩動物に対しても効果的に侵入を阻止でき、人の通行が容易な自立型の愛玩動物侵入規制用柵の提供を目的とする。
【課題を解決するための手段】
【０００５】
本発明の技術的要旨は、正面パネルと、当該正面パネルの両側に側面パネルとを備えた愛玩動物侵入規制用柵であって、柵の高さは人が跨ぐには困難な高さに設定してあり、側面パネルは正面パネルと交差方向に延出しており、自立可能に構成してあるとともに使用状態において人が通行時に開閉できる扉を有していることを特徴とする。
ここで人が跨ぐには困難な柵の高さとは、一般的な大人が跨ぐのに煩わしさを感じる高さをいい、高さが約５５ｃｍを越えると跨ぎにくく、約６５ｃｍを越えると多くの人にとって跨ぐのが困難になる。
よって本願発明に係る柵の高さは、５５ｃｍ〜１００ｃｍの範囲に設定するのがよく、好ましくは６５ｃｍを越え８０ｃｍ以下に設定するのがよい。
側面パネルが正面パネルと交差方向に延出して自立可能な構造としては、平面視で正面パネルと側面パネルが略コ字形状、略Ｈ字形状等がある。
略コ字形状の場合、正面パネルと側面パネルが略コ字形状を形成しつつ、コ字形状の側片を構成する側面パネルと反対方向に支持部材が延出していると自立安定性が高い。
【０００６】
本発明において愛玩動物侵入規制用柵（以下、必要に応じて単に柵と称する。）の使用状態とは、キッチンや玄関等、動物を侵入させたくない特定の場所に自立設置した状態をいい、その状態で人が通行時に開閉できる扉を有していることを特徴とする。
扉は、正面パネルに設けても側面パネルに設けてもよいが、請求項２記載の発明は、側面パネルが正面パネルに対して回動可能に連結してあり、側面パネルを回動させて人が通行できるようにした点に特徴がある。
請求項２記載の発明のように、側面パネルが扉として回動すると、側面パネルは動物が正面パネルの側方からすり抜けるのを防止しつつ、人が通行する開閉扉としての機能を備えることになり、正面パネルや側面パネルに別途開閉扉を設ける場合に比較して構造が簡単になり、部品点数も少なくなる。
また、正面パネルや側面パネルに別途開閉扉を設ける場合にはパネルの下部に扉開口部を支える下部フレームや下桟が必要になるが、側面パネルが開閉する場合にあっては下部フレーム等の障害物がなくなり、人が通行する際につまずく恐れがなくなる。
【０００７】
使用状態において人が通行時に側面パネルを回動する際に、側面パネルの下面が設置面に接していると大きな摩擦抵抗が生じる場合がある。
そこで請求項３記載の発明は、側面パネルは正面パネルに対して回動する際に、設置面から上方にわずかに浮かせることが可能になっていることを特徴とする。
ここでわずかに浮かせることが可能とは、側面パネルを回動する際に下面に大きな摩擦が生じない程度に浮かせることができる程度をいい、２ｍｍ〜４ｍｍの上昇量がよい。
上昇量が４ｍｍを越えると側面パネルの下面と設置面との間の隙間が大きくなり、動物や幼児等の手足の一部が挟まる恐れも生じてくるからである。
【０００８】
請求項４記載の発明は、正面パネルは幅方向に伸縮可能に構成してあることを特徴とする。
伸縮可能な構造例としては、例えば正面パネルを複数のパネルで構成し、これらの複数のパネルを前後に重ねて設置して、この前後の重なり量を調整することで全体の幅を調整してもよく、一のパネルのサイドに他のパネルをスライド嵌合してもよい。
【０００９】
請求項５記載の発明は、正面パネルと側面パネルとは分解及び組立可能に連結してあることを特徴とする。
正面パネルと側面パネルを分離できると収納しやすくコンパクトになる。
【００１０】
請求項６記載の発明は、正面パネル又は／及び側面パネルは、枠部と当該枠部内に設置した線材とからなり、上下方向に対して中央部側２／５以上の部分は、縦方向の線材のみを設置してあることを特徴とする。
正面パネル及び側面パネルは板状でもよいが、枠部とこの枠部内に設置した線材で構成すると動物や飼育者にとって視界がよく、パネルを枠部と線材で構成した場合に中央部２／５以上の部分を縦方向の線材のみが存在するようにしてあると、動物が足を掛けることができなくなり、動物が線材に足を掛けて柵を乗り越える危険性がなくなる。
【００１１】
本発明は、別の表現にて表すと、請求項７記載の発明は、複数のパネルの重なり部で伸縮可能な正面パネルと当該正面パネルの両端下部で正面パネルの面に対して略直角に前後方向に延びる四本の支持部材を有しており、正面パネルの前後方向に延びる少なくとも一方の支持部材の上方には、人が通行できる幅の扉が垂直軸回りに開閉可能に設けられており、当該扉には、正面パネルの面に対して略直角となる位置でその回動を規制するロック装置が設けられており、部屋や通路等の開口部を遮断するように設置したときにロック装置を操作することにより、扉を開放して正面パネルの側方から出入りすることができることを特徴とする。
【００１２】
請求項８記載の発明は、前記扉とその下方に位置する支持部材とが一体に設けられていることを特徴とする。
【００１３】
請求項９記載の発明は、前記扉とその下方に位置する支持部材と当該支持部材の背面側に伸びる支持部材とが一体に設けられていることを特徴とする。
【００１４】
請求項１０記載の発明は、扉が分離可能な蝶番によって着脱可能に設けられていることを特徴とする。
【００１５】
請求項１１記載の発明は、扉を垂直回りに開閉可能に設けている蝶番が扉の折り畳む側に設けられ、ロック装置が扉の折り畳む側と反対側に取り付けられていることを特徴とする。
【００１６】
請求項１２記載の発明は、複数のパネルの重なり部で伸縮可能な正面パネルと当該正面パネルの両端下部で正面パネルの面に対して略直角に前後方向に延びる四本の脚部材を有しており、正面パネルの前後方向に延びる少なくとも一方の支持部材の上方には、人が通行できる幅の扉が蝶番によって垂直軸回りに開閉可能に設けられており、当該蝶番が扉を正面パネルの面に対して略直角となる位置でロックする機能を兼備しており、部屋や通路等の開口部を遮断するように設置したときにロック装置を操作することにより、扉を開放して正面パネルの側方から出入りすることができることを特徴とする。
【発明の効果】
【００１７】
本発明に係る愛玩動物侵入規制用柵においては、柵の高さを人が跨ぐのが困難な高さに設定することで小さい動物のみならず、比較的大きな動物の侵入も阻止でき、人が通行する際には側面パネルを正面パネルに対して回動したり、側面パネル又は正面パネルに設けた扉を開閉することができるので通常の大人のみならず、子供や足の不自由な人でも通行できる。
また、側面パネルを正面パネルと交差方向に延出して自立可能になっているので設置場所を選ばずにどこでも設置できる。
【００１８】
請求項３記載の発明にあっては、側面パネルを正面パネルに対して回動する際に、側面パネルを少し持ち上げるようにしてわずかに浮かせて操作できるので開閉操作が容易である。
また、側面パネルは柵の自立機能の他に、正面パネルの側方から動物がすり抜けるのを防止する機能も有している。
【発明を実施するための最良の形態】
【００１９】
本実施の形態に係る愛玩動物侵入規制用柵の外観斜視図を図１及び図２に示す。
本実施例に示した愛玩動物浸入規制用柵の例は平面視略コ字形状になっていて、図１はコ字形状外側から見た斜視図で、図２は内側から見た斜視図になっていて正面パネル１０の両側に側面パネル２０ａ、２０ｂが正面パネルに対して回動可能に連結してある。
本発明に係る柵は、場所を選ばずに設置できるので、正面パネルのどちらが表、裏とは言えないが、説明の便宜上、平面視コ字形状外側を表あるいは前方とし、内側を裏あるいは後方と称する。
【００２０】
図１に示した実施例においては、正面パネル１０は二枚のパネル１０ａ、１０ｂから構成されている。
各パネル１０ａ、１０ｂの基本構成は概ね同一であるので、以下においてはパネル１０ａについて説明し、パネル１０ｂの同一構成部分には同一の符号を付す。
なお、パネル１０ａと１０ｂと異なる点については後述する。
パネル１０ａは、愛玩動物の通行を規制できるとともに、人が跨ぐのが困難な高さに設定した矩形状の枠部１１と、その枠部内に設置した線材１２によって構成する。
柵の高さは、５５ｃｍを越え１００ｃｍ以下の範囲に設定してあり、好ましくは６５ｃｍを越え８０ｃｍ以下の範囲に設定する。
正面パネル１０の全幅を図１より広げた図３（ｂ）の正面視に示すように、枠部１１は左右の縦部材１１ｂ，１１ａ、と上下の横部材１１ｃ，１１ｄで構成し、線材１２は主として縦方向の線材１２ａで構成し、上下の一部に横方向の線材１２ｂが各２本ずつ設けてある。
つまり、正面パネルの中央部２／５以上の部分を縦方向の線材１２ａのみで構成したのは、愛玩動物が足などを掛けないようにするためである。
また、縦方向の線材１２ａは、枠部１１の上側を間引きして手掛け空間部１６を設けてあり、柵を移動する際に手を掛けやすくしてある。
二枚のパネル１０ａ、１０ｂは、その一部が前後に重なるように配置してあり、図１より図３は幅を広くした状態を示す。
前後に配置した二枚のパネル１０ａ、１０ｂは、その前後の重なる部分を多くしたり少なくしたりすることで全体の幅を調整可能に構成する。
前方に配置したパネル１０ａの枠部１１を構成する上下の横部材１１ｃ、１１ｄの裏面側には３個のインサートナット１３ａ、１３ｂ、１３ｃが設けてある。
また、後方に配置したパネル１０ｂの枠部１１を構成する上下の横部材１１ｃ、１１ｄには複数の位置決用穴１４が設けてある。
後方のパネル１０ｂに設けた複数の位置決用穴１４の穴同士の間隔は、前方のパネル１０ａに設けた重なり部側の２個の穴１３ｂ，１３ｃの間隔の半分に設定してある。
二枚の正面パネル１０ａ、１０ｂの一部を重ねて、後方のパネル１０ｂの位置決用穴１４を前方のパネル１０ａのインサートナット１３ｂ，１３ｃの位置に合わせて、パネル１０ｂの後方からボルト１５ａ、１５ｂを挿通することで、二枚のパネル１０ａ、１０ｂを所定位置に固定して正面パネル１０の幅を固定することができる。
後方のパネル１０ｂには前方のパネル１０ａのインサートナット１３ｂ，１３ｃ間隔の半分の間隔で位置決用穴１４を設けているので微妙な幅調整が可能である。
また、重なり代が多くなる場合には、前方のパネル１０ａの裏面、幅方向中央から側面パネルよりに設けたインサートナット１３ａを利用してボルト固定することで、２枚のパネルの固定安定性が向上する。
【００２１】
図１及び図２に示すように側面パネル２０ａと２０ｂは同じ構成なので側面パネル２０ａの構造を代表に図４に基づいて説明する。
側面パネル２０ａは枠部２１と線材２２とから構成し、枠部２１は左右の縦部材２１ａ，２１ｂと上下の横部材２１ｃ、２１ｄで構成し、枠内に上下方向線材２２ａと横方向の線材２２ｂを配設してある。
側面パネル２０ａも正面パネル１０と同様に中央部２／５以上は上下方向の線材２２ａのみとなっていて、縦方向の線材２２ａは、枠部２１の上側を間引きして手掛け空間部２４を設けてあり、柵を移動する際に手を掛けやすくしてある。
また、枠部２１の下の横部材２１ｄは正面パネル１０と交差するようにして側面パネル２０ａの反対側に延在させた支持部材２３を設けてある。
これにより柵の自立安定性が向上する。
特に本実施例においては側面パネル２０ａ、２０ｂが正面パネルに対して回動可能に連結してあるので２枚の側面パネル２０ａ、２０ｂのどちらか一方を回動したときに他方の側面パネルに支持部材２３が存在することで自立安定性が向上する。
図４に示した例では、支持部材２３を枠部２１の横部材２１ｄをそのまま延長させて形成してあるが、別部品として側面パネル２０ａに連結しても良い。
【００２２】
次に正面パネル１０と側面パネル２０ａ、２０ｂとの連結構造について説明する。
図１及び図２に示すように、平面視コ字形状の外側コーナーにはロック装置３０を取り付け、コ字形状内側コーナーは上部ヒンジ４０と下部ヒンジ５０とで正面パネル１０と側面パネル２０ａ、２０ｂを連結してある。
従って、ロック装置３０のロックを解除すれば、上部ヒンジ４０と下部ヒンジ５０の連結軸を回動中心にしてコ字形状内側には回動するがロック状態から外側には回動しない。
柵として使用状態のときは、側面パネル２０ａと２０ｂとのどちらか一方のみを回動して人が通行することになり、柵を折りたたむときには両側の側面パネル２０ａ、２０ｂを回動させることになる。
なお、図３（ａ）の平面視に示すように、前方のパネル１０ａに設けたヒンジ４０，５０は後方のパネル１０ｂと回動前後方向の位置を合わせるべく、後方のパネル１０ｂの厚みの相当するスペーサー１７を取り付けてある。
【００２３】
ロック装置の構造例を図５に基づいて説明する。
図５（ａ）は側面パネル２０ａを後方のパネル１０ｂに回動ロックした状態を示す。
側面パネル２０ａの縦部材２１ｂに金具３２を固定し、正面パネル１０側のパネル１０ｂの側部端面に金具３３を固定してあり、金具３２、３３には円筒部３２ａ、３２ｂ、３２ｃ、３３ａを形成し、この円筒部を連通上下するようにロックピン３１を取り付けてある。
また金具３２には、係止突片３４を形成し、その上部と下部にロックピン係止部３４ａ、３４ｂを設けてある。
図５（ａ）の状態はロックピン３１のピンを正面パネル側の金具３３の筒部３３ａに挿入し、ロックピン３１の被係止部３１ａを係止部３４ｂに当接させて側面パネル２０ａが回動するのを規制してロックした状態である。
図５（ｂ）はロックピン３１を図５（ｂ）において左側に回転してロックピン３１を上昇させることができる状態を示す。
ロックピン３１を図５（ｂ）の状態で上に持ち上げ図５（ｃ）に示すようにロックピン３１を右側に廻すとロックピン３１のピン先が正面パネル側の金具３３の円筒部３３ａから外れる。
側面パネルは図２に示すように内側にて回動自在にヒンジ（蝶番）４０、５０で連結されているので側面パネル２０ａを回動することができる状態になる。
この状態で図５（ｄ）に示すように側面パネル２０ａを持ち上げるようにして、わずかに浮かす。なお、浮かす構造は後述する。
このように側面パネル２０ａをわずかに浮かせながら柵のコ字形状内側に回動した状態を図５（ｅ）に示す。
側面パネル２０ａを正面パネルと交差方向に戻す場合には逆の操作をすることになる。
【００２４】
側面パネル２０ａ、２０ｂの内側は図２、図６、図７に示すようにヒンジ４０、５０にて連結されているので側面パネル２０ａ、２０ｂは内側に回動するが外側には回動しないようになっている。
図６は、側面パネル２０ａを内側に回動して外側から見た図であり、図７は側面パネル２０ａのヒンジ部を内側から見た図を示すので、図６と図７ではヒンジの配置が左右逆に現れている。
上部ヒンジ４０は筒部４４を有する金具４３を正面パネルの縦部材１１ｂに固定し、側面パネル２０ａの縦部材２１ｂに取り付けた金具４１のピン部４２を、正面パネル側の筒部４４に下側から挿入する。
下部ヒンジ５０は、側面パネル側の金具５３を正面パネル側の金具５１の上に配置して金具５３、５１に設けた筒部５４、５２に略Ｌ形に曲げたピン金具５６を上から挿通して連結する。
これによりピン金具５６を抜き取ると図７に示すように正面パネルと側面パネルを分離することができる。
内側の上部ヒンジ４０、下部ヒンジ５０及びロック装置には、図２及び図３に示すように、側面パネルを設置面に載置した状態で、上下方向の遊び代ｄ１を設けてあり、この遊び代ｄ１分だけ側面パネルは上下できるようになっている。
一方、図３及び図４の下部拡大図に示すように、正面パネルを構成する縦部材１１ｂの少なくとも下端を支持部材２３の上方に延出させ、浮き上がり代ｄ０を設定する。
例えば、ｄ１＝４〜６ｍｍに設定し、ｄ０＝２〜４ｍｍに設定すれば、側面パネルをこの浮き上がり代ｄ０の範囲で設置面から浮き上がらせ回動操作をすることができる。
これにより、側面パネルを回動する際に、設置面との摩擦抵抗が減少又は解消し、回動操作が容易になる。
【００２５】
本発明に係る愛玩動物浸入規制用柵の適用例を図８〜図１２に示す。
図８は人が通行時に開閉する扉６１を正面パネル１０に設けた例であり、図９は側面パネル２０ａに開閉扉６２を設けた例を示す。
また、図１０は正面パネル１０全体がキャスター６３にて開閉するようになっている。
図１１は側面パネル２０ａの支持部材２３の先端部付近に脚部６５とキャスター６４とを設け、側面パネル２０ａをキャスター６４を支点にして傾けると移動し、床面に載置すると脚部６５で移動を規制できるようにした例である。
なお、図１１に示した実施例の場合には側面パネルが正面パネルに対して回動することは必ずしも必要でなくなり、柵全体を移動するようにしてもよい。
図１２は別体の支持部材１２３を正面パネルに設け開閉扉１６２の支持軸を正面パネル側に設けた例である。
この開閉扉１６２は、下端が開閉扉１６２を通して支持部材１２３に設けてある穴１６２ｃに嵌り開閉扉１６２をロックしているロッド１６２ｂを、ノブ１６２ａを上に引き上げることで穴１６２ｃから外してロック解除し、開閉する。
【００２６】
図１３は、蝶番にロック機能を兼備えた例を示す。
図１３（ａ）に示したロック機能付蝶番１３０は正面パネル側の金具１３３に円筒部１３３ｃを形成するとともに切り欠き溝１３３ａを設け、側面パネル側の金具１３２にピン部１３２ａとロック係止部１３２ｂを形成してある。
ロック係止部１３２ｂが切り欠き溝１３３ａに嵌合した状態では回動がロックされ、側面パネルを少し持ち上げロック係止部１３２ｂの下端が切り欠き溝１３３ａの上端から外れると摺動部１３３ｂにロック係止部１３２ｂの下端が摺動するようにして回動する。
図１３（ｂ）に示したロック機能付蝶番の例は正面パネル側に固定した金具２３３に角孔２３３ａとその下に丸孔２３３ｃを形成し、側面パネル側に固定した金具２３２には角孔２３３ａの内側形状に一致させた角形ピン部２３２ｂとその下に丸ピン２３２ａを設けてある。
これにより、角形ピン部２３２ｂが角孔２３３ａに嵌合すると回動がロックされ、側面パネルを少し持ち上げ、角形ピン部２３２ｂの下端が角孔２３３ａの上端から外されると丸ピン２３２ａを軸にして回動が許容される。
【図面の簡単な説明】
【００２７】
【図１】本発明に係る愛玩動物浸入規制用柵のコ字形状外側から見た外観斜視図を示す。
【図２】本発明に係る愛玩動物浸入規制用柵のコ字形状内側からみた外観斜視図を示す。
【図３】正面パネルの構成例を示す。
【図４】側面パネルの構成例を示す。
【図５】ロック装置の構造例を示す。
【図６】側面パネルを正面パネル側に回動した状態の連結部を外側から見た図を示す。
【図７】側面パネルを正面パネルから分離する状態を示す。
【図８】正面パネルに扉を設けた例を示す。
【図９】側面パネルに扉を設けた例を示す。
【図１０】正面パネルにキャスターを取り付けた例を示す。
【図１１】側面パネルの支持部材にキャスターを取り付けた例を示す。
【図１２】支持部材が別体の例を示す。
【図１３】蝶番にロック機能を付加した例を示す。
【符号の説明】
【００２８】
１０    正面パネル
１０ａ  正面パネルを構成する前方のパネル
１０ｂ  正面パネルを構成する後方のパネル
１１    枠部
１２    線材
２０ａ、２０ｂ    側面パネル
２１    枠部
２２    線材
２３    支持部材
３０    ロック装置
４０    上部ヒンジ（上部蝶番）
５０    下部ヒンジ（下部蝶番）
【図１】
2008118934.tif 000003
【図２】
2008118934.tif 000004
【図３】
2008118934.tif 000005
【図４】
2008118934.tif 000006
【図５】
2008118934.tif 000007
【図６】
2008118934.tif 000008
【図７】
2008118934.tif 000009
【図８】
2008118934.tif 000010
【図９】
2008118934.tif 000011
【図１０】
2008118934.tif 000012
【図１１】
2008118934.tif 000013
【図１２】
2008118934.tif 000014
【図１３】
2008118934.tif 000015